(57)【特許請求の範囲】
【請求項１】
配線器具を取付けた取付け枠を該取付け枠と壁との間にプレート用継枠を介在させて壁に取付け、該取付け枠の表面側にプレート枠と化粧プレートとで構成してある配線器具用のプレートのプレート枠を取付け、該プレートの化粧プレートに設けた開口孔部内に前記取付け枠に取付けた配線器具の表面部を嵌め込んでなる配線器具の取付けに使用されるプレート用継枠の構造であって、中央部に開口部を有する矩形状のプレート用継枠の外周縁部に背方に向けて外周側片部を設け、該プレート用継枠の内周縁部に背方に向けて外周側片部よりも突出長さの短い内周側片部を設け、外周側片部に先端部が前記配線器具に接続されるケーブルを通すケーブル導入部をノックアウトにより形成するためのノックアウト部を設け、該ノックアウト部としてケーブル導入用のノックアウト部とモールで被覆されるケーブル導入用のノックアウト部とを備え、内周側片部のモールで被覆されるケーブル導入用のノックアウト部に対向する部位をモールの端部を位置決めするための位置決めリブとしたことを特徴とするプレート用継枠の構造。
【請求項２】
プレート用継枠の裏面側に補強用リブを設けて成ることを特徴とする請求項１記載のプレート用継枠の構造。  
【発明の詳細な説明】
【０００１】
【発明の属する技術分野】
本発明は、配線器具を壁に取付ける際に使用するプレート用継枠の構造に関するものである。
【０００２】
【従来の技術】
従来、壁に配線器具を取付けるには、壁に開口を設け、壁の表面の開口の周囲に配線器具を取付けた取付け枠を取付けるとともに壁内に配線したケーブルを配線器具に接続し、取付け枠にプレート（プレートはプレート枠とこれとは別体の化粧プレートの２部材で構成される場合と、プレート枠と化粧プレートとが一体化した１部材で構成される場合がある）を取付け、プレートの開口部から配線器具の表面部を露出させるようにしている。
【０００３】
しかし、上記従来例にあっても壁内に通したケーブルを配線器具に接続するようにしたものであり、壁の表面側に沿ってケーブルを配線した露出配線には対応できないものであった。
【０００４】
このため、従来、壁の表面に沿ってケーブルを配線する露出配線においては壁の表面に直接配線器具を取付け、壁の表面に沿って配線したケーブルを露出した配線器具に接続するようにしていた。
【０００５】
ところが、このように壁の表面に直接配線器具を取付けるものにおいては配線器具全体が直接室内に露出し、外観が悪いという問題があった。
【０００６】
【発明が解決しようとする課題】
本発明は上記の点に鑑みてなされたものであり、簡単な構成の部材で露出配線にも対応できるプレート用継枠の構造を提供することを課題とするものである。
【０００７】
【課題を解決するための手段】
上記課題を解決するために本発明に係るプレート用継枠の構造は、配線器具１２を取付けた取付け枠３を該取付け枠３と壁１０との間にプレート用継枠２を介在させて壁１０に取付け、該取付け枠３の表面側にプレート枠１ａと化粧プレート１ｂとで構成してある配線器具用のプレート１のプレート枠１ａを取付け、該プレート１の化粧プレート１ｂに設けた開口孔部１８内に前記取付け枠３に取付けた配線器具１２の表面部を嵌め込んでなる配線器具１２の取付けに使用されるプレート用継枠２の構造であって、中央部に開口部１４を有する矩形状のプレート用継枠２の外周縁部に背方に向けて外周側片部１５を設け、該プレート用継枠２の内周縁部に背方に向けて外周側片部１５よりも突出長さの短い内周側片部１６を設け、外周側片部１５に先端部が前記配線器具１２に接続されるケーブル１１を通すケーブル導入部４をノックアウトにより形成するためのノックアウト部５を設け、該ノックアウト部５としてケーブル導入用のノックアウト部５ａとモール７で被覆されるケーブル導入用のノックアウト部５ｂとを備え、内周側片部１６のモール７で被覆されるケーブル導入用のノックアウト部５ｂに対向する部位をモールの端部を位置決めするための位置決めリブ９としたことを特徴とするものである。このような構成とすることで、壁１０の表面に沿ってケーブル１１を露出配線する場合にはノックアウト部５をノックアウトしてケーブル導入部４を形成し、このケーブル導入部４にケーブル１１を通して、取付け枠３に取付けられる配線器具１２に接続することができる。また、ＶＶＦケーブルのようなケーブル１１が直接露出する露出配線の場合にはノックアウト部５ａをノックアウトしてＶＶＦケーブル１１を通し、ケーブル１１をモール７で被覆して露出配線する場合にはノックアウト部５ｂをノックアウトしてモール７の端部及びモール７で覆われるケーブル１１を通すことができる。また、ノックアウト部５ｂをノックアウトしてモール７で被覆されるケーブル１１を通す際に、モール７の端部を位置決め用リブ９に当てて位置決めすることができる。
【００１０】
また、プレート用継枠２の裏面側に補強用リブ６を設けることが好ましい。このような構成とすることで、取付けねじなどにより取付ける際にプレート用継枠２が締め付けられるが補強用リブ６を設けることで強度アップを図って、変形したり、破損しないようにできるものである。
【００１２】
【発明の実施の形態】
以下、本発明を添付図面に示す実施形態に基づいて説明する。
【００１３】
図１には本発明におけるプレート用継枠２の一実施形態が示してある。プレート用継枠２は建物の壁１０の表面とプレート１との間に介在するための部材である。
【００１４】
プレート用継枠２は中央部に開口部１４を有する矩形状をしており、プレート用継枠２の外周縁部に背方に向けて外周側片部１５を設け、プレート用継枠２の内周縁部に背方に向けて外周側片部１５よりも突出長さの短い内周側片部１６を設けてある。外周側片部１５の上下左右の各片にはそれぞれノックアウト部５が設けてあり、このノックアウト部５は薄肉部１７やスリットを形成することでこの薄肉部１７やスリットをノックアウトしてケーブル導入部４となる開口を形成できるようにしてある。薄肉部１７を設けてノックアウト部５を形成する場合、溝等の薄肉部１７は外周側片部１５の内面側に設けるものであって、薄肉部１７が外部に露出して見苦しくないようにする。
【００１５】
図１に示す実施形態においては外周側片部１５の上下左右の各片にはそれぞれ２個ずつノックアウト部５が形成してある。ノックアウト部５はケーブル導入用のノックアウト部５ａとモール７で被覆されるケーブル導入用のノックアウト部５ｂとからなり、図１に示す実施形態ではモール７で被覆されるケーブル導入用のノックアウト部５ｂの内側にケーブル導入用のノックアウト部５ａが配設してある。また、図１に示す実施形態ではケーブル導入用のノックアウト部５ａとしては２心ケーブル導入用のノックアウト部５ａ１と３心ケーブル導入用のノックアウト部５ａ２とがあり、この２心ケーブル導入用のノックアウト部５ａ１と３心ケーブル導入用のノックアウト部５ａ２とは外周側片部１５の上下左右の各片にはそれぞれ１個ずつ設けてある。また、モール７で被覆されるケーブル導入用のノックアウト部５ｂとしては１号モールで被覆されるケーブル導入用のノックアウト部５ｂ１と２号モールで被覆されるケーブル導入用のノックアウト部５ｂ２とがある。そして、上記各３心ケーブル導入用のノックアウト部５ａ２の外周を囲むように２号モールで被覆されるケーブル導入用のノックアウト部５ｂ２が配置してあり、また、上記各２心ケーブル導入用のノックアウト部５ａ１の外周を囲むように１号モールで被覆されるケーブル導入用のノックアウト部５ｂ１が配置してあるとともに該１号モールで被覆されるケーブル導入用のノックアウト部５ｂ１の外周を囲むように２号モールで被覆されるケーブル導入用のノックアウト部５ｂ２が配置してある。
【００１６】
モール７で被覆されるケーブル導入用のノックアウト部５ｂに対向する内周側片部１６の対向する部位はモール７の端部を位置決めするための位置決めリブ９となっている。
【００１７】
矩形状をしたプレート用継枠２の背面部には外周側片部１５と内周側片部１６に亘るように略ロ字状断面をした補強用リブ６を一体に設けてあり、取付けねじ等により取付ける際にプレート用継枠２が締め付けられるが補強用リブ６を設けることで強度アップを図って、変形したり、破損しないようになっている。一例を挙げると、例えば補強用リブ６を設けることで１０ｋｇｆ・ｃｍ2の締め付け力に耐えられるようにする。
【００１８】
上記のような構成のプレート用継枠２は図２に示すように、建物の壁１０の表面側にプレート１を取付けるに当たって、該プレート１と建物の壁１０との間に介在して取付けられる。すなわち、図２の実施形態においては、建物の壁１０の表面側に配線器具１２を取付ける取付け枠３を壁１０にねじ具又は取付け金具という従来から公知の取付け手段により取付ける際に取付け枠３と壁１０との間に本発明のプレート用継枠２を介在させるものである。そして、壁１０の表面側に上記のようにしてプレート用継枠２を介して取付けた取付け枠３の表面側にプレート１を配置してプレート１を取付け枠３にねじ具等の従来から公知の取付け手段により取付けるものである。
【００１９】
ここで、図２に示す実施形態においてはプレート１がプレート枠１ａと化粧プレート１ｂとの２部材で構成してある例が示してある。プレート枠１ａは取付け枠３にねじ具等の従来から公知の取付け手段により取付けられるものであり、この場合、プレート枠１ａの外周部により取付け枠３の外周部を覆うとともに、プレート枠１ａの外周部がプレート用継枠２の表面外周部に配置されてプレート用継枠２がプレート枠１ａと壁１０の表面との間に介在されるのである。更にプレート枠１ａに化粧プレート１ｂが係止手段等の従来から公知の化粧プレート１ｂの取付け手段により取付けられる。化粧プレート１ｂには開口孔部１８が設けてあって、取付け枠３に取付けた配線器具１２の表面部が開口孔部１８内にはめ込まれて室内に露出するようになっており、配線器具１２の表面部以外の部分はプレート枠１ａと化粧プレート１ｂとにより構成されるプレート１により覆われて室内に露出しないようになっている。
【００２０】
上記プレート用継枠２、取付け枠３、プレート１を取付ける壁１０の取付け部分には開口１９又は凹部が形成してあり、図２に示す実施形態においては壁１０の開口１９の背部（つまり壁１０の表面材の背部）にボックス２０を設けた例が示してある。
【００２１】
しかして、ケーブル１１が埋込配線の場合には図２のＡで示す実線のように壁１０内にケーブル１１を通して該壁１０内に通したケーブル１１の先端部を配線器具１２に接続するものである。
【００２２】
また、ケーブル１１が壁１０の表面側に配線される露出配線の場合には図２のＢで示す一点鎖線又は図２のＣで示す２点鎖線のようにプレート用継枠２に設けたノックアウト部５をノックアウトして除去することで形成されるケーブル導入部４からケーブル１１を通して該ケーブル１１の先端部を配線器具１２に接続するものである。
【００２３】
ここで、露出配線においてケーブル１１としてＶＶＦケーブルのようなケーブル１１を壁１０の表面側に直接露出して配線する場合には、図２のＢで示す一点鎖線のようにケーブル導入用のノックアウト部５ａをノックアウトして形成したケーブル導入部４からケーブル１１を通して該ケーブル１１の先端部を配線器具１２に接続するものである。
【００２４】
また、露出配線においてＶＶＦケーブルのようなケーブル１１をモール７で覆うものの場合には図２のｃで示す２点鎖線のようにノックアウト部５ｂをノックアウトして形成したケーブル導入部４からモール７の端部とモール７で被覆されるケーブル１１を通し、モール７の端部を位置決めリブ９に当てて位置決めし、ケーブル１１の先端部を配線器具１２に接続するものである。
【００２５】
ところで、ＶＶＦケーブルとしては２心ＶＶＦケーブルと３心ＶＶＦケーブルとがあり、また、モール７を使用する場合、１号モールと２号モールとがあり、それぞれサイズが異なるものである。
【００２６】
そこで、２心ＶＶＦケーブルが露出配線される場合には図３（ａ）のように２心ケーブル導入用のノックアウト部５ａ１（便宜上図３（ａ）においてクロスハッチングにより図示した部分）をノックアウトするものである。また、３心ＶＶＦケーブルが露出配線される場合には図３（ｂ）のように３心ケーブル導入用のノックアウト部５ａ２（便宜上図３（ｂ）においてクロスハッチングにより図示した部分）をノックアウトするものである。また、ケーブル１１を１号モール７で被覆して露出配線する場合には図３（ｃ）のようにノックアウト部５ｂ１（便宜上図３（ｃ）においてクロスハッチングにより図示した部分）をノックアウトするものである。また、ケーブル１１ｂが２号モール７で被覆されて露出配線される場合には図３（ｄ）のようにノックアウト部５ｂ２（便宜上図３（ｄ）においてクロスハッチングにより図示している）をノックアウトするものである。
【００２７】
このようにすることで、露出配線の種類に応じてノックアウトにより最適の大きさのケーブル導入部４を形成できるものである。また、プレート用継枠２の外周側片部１５の上下左右の各片のいずれの片においても上記露出配線の種類に応じて最適の大きさのケーブル導入部４を自由に形成することができるものである。もちろん露出配線しない場合にはノックアウト部５をノックアウトしないで壁埋込配線に対応させるものである。また、本発明のプレート用継枠２を用いることで、図２のＡとＢ、又は図２のＡとＣ、又は図２のＡとＢとＣの配線を同時に行うというように壁埋込用配線と露出配線との両方の配線を同時に行うことも可能である。この場合配線器具を取付枠３に複数個取付ける。
【００２８】
図４には本発明のプレート用継枠２の他の実施形態が示してある。すなわち図１に示す実施形態においてはモジュール化された１個の取付け枠３に対応した１連用のプレート用継枠２の例を示したが、図４に示す実施形態においては２個の取付け枠３に対応した２連用のプレート用継枠２を示している。また、図示を省略しているが、３個の取付け枠３に対応した３連用、４個の取付け枠３に対応した４連用のプレート用継枠２であってもよいものである。
【００２９】
なお、図に示す実施形態においてはプレート１をプレート枠１ａと化粧プレート１ｂとの２部材で構成した例を示したが、プレート１としてプレート枠に相当するものと化粧プレートに相当するものとを一体化した１部材で構成したものであってもよいものである。
【００３０】
また、図に示す実施形態においては、配線器具１２を取付ける取付け枠３とプレート１とを別体とした実施形態につき説明したが、取付け枠３とプレート枠１ａとが一体化されたもの、つまり、プレート枠１ａに直接配線器具１２を取付けるようにしたものであってもよいものである。この場合にはプレート枠１ａをねじ具または取付け金具により壁１０の表面に取付ける際にプレート枠１ａと壁１０の表面との間に本発明のプレート用継枠２を介在した状態で取付けるものである。
【００３１】
もちろんいずれの実施形態においてもプレート１と壁１０の表面との間にプレート用継枠２が介在されて露出配線に対応できることにかわりはない。
【００３３】
【発明の効果】
上記のように本発明の請求項１記載の発明にあっては、配線器具を取付けた取付け枠を該取付け枠と壁との間にプレート用継枠を介在させて壁に取付け、該取付け枠の表面側にプレート枠と化粧プレートとで構成してある配線器具用のプレートのプレート枠を取付け、該プレートの化粧プレートに設けた開口孔部内に前記取付け枠に取付けた配線器具の表面部を嵌め込んで配線器具を取付けるにあたって使用されるプレート用継枠の構造であって、中央部に開口部を有する矩形状のプレート用継枠の外周縁部に背方に向けて外周側片部を設け、該プレート用継枠の内周縁部に背方に向けて外周側片部よりも突出長さの短い内周側片部を設け、外周側片部に先端部が前記配線器具に接続されるケーブルを通すケーブル導入部をノックアウトにより形成するためのノックアウト部を設け、該ノックアウト部としてケーブル導入用のノックアウト部とモールで被覆されるケーブル導入用のノックアウト部とを備え、内周側片部のモールで被覆されるケーブル導入用のノックアウト部に対向する部位をモールの端部を位置決めするための位置決めリブとしてあるので、壁の表面に沿ってケーブルを露出配線する場合にはノックアウト部をノックアウトしてケーブル導入部を形成し、このケーブル導入部にケーブルを通して配線できるものであり、この結果、露出配線であっても問題なく対応できるものであり、しかも、プレートと壁の表面との間にプレート用継枠が介在されるので、表面がプレートにより覆われて外観を損なうことがないものである。また露出配線するケーブルがＶＶＦケーブルの場合にはノックアウト部をノックアウトしてＶＶＦケーブルを通し、露出配線するケーブルがＶＶＦケーブルをモールで覆うものの場合には，ノックアウト部をノックアウトしてモールの端部及びモールで覆われるケーブルを通すものであって、ケーブルが直接露出配線される場合と、モールにより覆われた状態で露出配線される場合とに対応できる。また、ノックアウト部をノックアウトしてモールで被覆されるケーブルを通す際に、モールの端部を位置決め用リブに当てて位置決めすることができて、モールの端部が外部に露出せずに外観がよいだけでなく、モールが必要以上にプレート用継枠内に挿入されて内部の配線器具やケーブルの接続部分等に当たって悪影響を及ぼさないようにできる。
【００３６】
また、請求項２記載の発明にあっては、上記請求項１記載の発明の効果に加えて、プレート用継枠の裏面側に補強用リブを設けてあるので、取付けねじにより取付ける際にプレート用継枠が締め付けられるが補強用リブを設けることで強度アップを図ることができて、この結果、プレート用継枠の変形や破損を防止することができるものである。
【００３７】
また、請求項５記載の発明にあっては、上記請求項２又は請求項３記載の発明の効果に加えて、プレート用継枠にケーブルを被覆するモールの端部を位置決めするための位置決めリブを設けてあるので、ノックアウト部をノックアウトしてモールで被覆されるケーブルを通す際に、モールの端部を位置決め用リブに当てて位置決めすることができて、モールの端部が外部に露出せずに外観がよいだけでなく、モールが必要以上にプレート継枠内に挿入されて内部の配線器具やケーブルの接続部分等に当たって悪影響を及ぼさないようにできるものである。
【図面の簡単な説明】
【図１】本発明のプレート用継枠の一実施形態を示し、（ａ）は正面図であり、（ｂ）は側面図であり、（ｃ）は背面図であり、（ｄ）は平面図である。
【図２】同上の壁への取付け状態を示す断面図である。
【図３】（ａ）乃至（ｄ）はそれぞれ同上のノックアウト使用例を示す図１（ａ）Ｘ−Ｘ線の断面図である。
【図４】本発明のプレート用継枠の他の実施形態を示し、（ａ）は正面図であり、（ｂ）は側面図であり、（ｃ）は背面図であり、（ｄ）は平面図である。
【符号の説明】
１  プレート
２  プレート用継枠
５  ノックアウト部
５ａ  ノックアウト部
５ｂ  ノックアウト部
６  補強用リブ
７  モール
９  位置決めリブ
１０  壁
【図１】
0003575371.tif 000002
【図２】
0003575371.tif 000003
【図３】
0003575371.tif 000004
【図４】
0003575371.tif 000005